【事件の表示】
　上記当事者間の特許第３９６８０６７号発明「テレビジョン番組リストのユーザーインタフェース」の特許無効審判事件について、次のとおり審決する。
【結　論】
　特許第３９６８０６７号の請求項１乃至請求項４に係る発明についての特許を無効とする。
　審判費用は、被請求人の負担とする。
【理　由】
第１　手続の経緯
１．出願の経緯
　本件特許（特許３９６８０６７号、特願２００３−３３２１１３号）は、以下のように２度の分割出願を重ね、第３世代として出願され、特許されたものである。
・特願平３−５１６６９１号
（１９９１年３月１０日（パリ条約による優先権主張外国庁受理１９９０年９月１０日、米国）を国際出願日とする出願、以下「親出願」ともいう）
・特願２０００−３２１３９１号
（親出願の一部を平成１２年１０月２０日に新たな特許出願とした出願、以下「子出願」ともいう）
・特願２００３−３３２１１３号
（子出願の一部を平成１５年９月２４日に新たな特許出願とした出願、以下「本件出願」もしくは「孫出願」ともいう）
　
２．本件出願の経緯
　出願　　　　　　　　　　　　　　　　平成１５年　９月２４日
　　（特願２００３−３３２１１３号
　　　分割の原出願　特願２０００−３２１３９１号　　　　　　　）
　設定登録　　　　　　　　　　　　　　平成１９年　６月　８日
　　（特許３９６８０６７号
　　　請求項数　４
　　　権利者　スターサイト　テレキャスト　インコーポレイテッド）
　
３．本件審判の経緯
　無効審判請求（請求人）　　　　　　　平成２０年　４月２３日付け
　答弁書（被請求人）　　　　　　　　　平成２０年　８月２０日付け
　口頭審理（特許庁審判廷）　　　　　　平成２０年１２月１６日
　口頭審理陳述要領書（請求人）　　　　平成２０年１２月１６日付け
　口頭審理陳述要領書（被請求人）　　　平成２０年１２月１６日付け
　上申書（請求人）　　　　　　　　　　平成２０年１２月２６日付け
　上申書（被請求人）　　　　　　　　　平成２１年　１月　８日付け
　
第２　請求及び主張の概要
１．請求人
（１）請求の趣旨
　特許第３９６８０６７号の特許を無効とする
　審判費用は被請求人の負担とする
　との審決を求める。
　
（２）無効理由１（２９条２項）
　本件の請求項１乃至請求項４に係る各特許発明は、甲第１号証乃至甲第４号証に記載された発明に基づいて、出願前に当業者が容易に発明をすることができたものであるから、特許法第２９条第２項の規定により特許を受けることができないものであり、同法第１２３条第１項第２号に該当し、無効とすべきである。
　（特許法第２９条第２項）
　（審判請求書〔４〕　５頁１行〜１８頁１行）
　
（３）無効理由２（３６条６項１号、２号、３６条４項）
　本件特許に係る特許請求の範囲は、特許法第３６条第６項第１号及び第２号に規定された要件を満たしておらず、また、本件特許に係る発明の詳細な説明は、特許法第３６条第４項第１号に規定する要件を満たしていないため、同法第１２３条第１項第４号に該当し、無効とすべきものである。
　
　ア．「受信機の外部にある放送装置から受信機が受信した放送信号から、テレビジョン番組表に含まれる複数の項目のそれぞれに対応するタイトル情報と、該複数の項目のそれぞれに対応する番組説明情報とを取得する」は、本件明細書の発明の詳細な説明には記載されていない。
　（特許法第３６条第６項第１号）
　（審判請求書〔５〕（１）　１８頁２行〜２０頁５行）
　
　イ．「項目」は、その意味が不明確である。
　（特許法第３６条第６項第２号）
　（審判請求書〔５〕（２）　２０頁６行〜２２頁２０行）
　
　ウ．「時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている」は、本件明細書の発明の詳細な説明には記載されていない。
　（特許法第３６条第６項第１号）（「項目」については６−２）
　（審判請求書〔５〕（３）　２２頁２１行〜２４頁１行）
　
　エ．「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する」は、本件明細書の発明の詳細な説明には記載されていない。
　（特許法第３６条第６項第１号）
　（審判請求書〔５〕（４）　２４頁２行〜２６頁１１行）
　
　オ．「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する」に関する説明としては、本件明細書の発明の詳細な説明に、当業者がその実施をすることができる程度に明確かつ十分に記載されていない
　（特許法第３６条第４項）
　（審判請求書〔５〕（５）　２６頁１２行〜２７頁２９行）
　
（４）無効理由３（４４条１項、２９条２項）
　本件特許に係る出願は、分割要件を充足していないため、甲第５号証及び甲第６号証に記載された発明に基づいてその発明の技術の分野における通常の知識を有する者が特許出願時に容易に発明をすることができたものである。
　（特許法第４４条第１項違反に基づく第２９条第２項）
　（審判請求書〔６〕　２８頁１１行〜３０頁２８行）
　
　甲第１号証　特開平２−１８９７５３号公報
　甲第２号証　実願昭６２−１７３４６７号（実開平１−７８３２８号）
　　　　　　　のマイクロフィルム
　甲第３号証　特開平１−２０９３９９号公報
　甲第４号証　特開昭５８−２１０７７６号公報
　甲第５号証　特表平６−５０４１６５号公報
　　　　　　　（親出願の国内公表公報）
　甲第６号証　特開２００１−１８６４３８号公報
　　　　　　　（子出願の出願公開公報）
　甲第７号証　特許第３９６８０６７号公報
　　　　　　　（本件特許公報）
　
２．被請求人
（１）答弁の趣旨
　本件特許権には無効理由がなく本件特許権を維持する、本件審判費用は審判請求人の負担とする、との審決を求める。
　
第３　本件特許発明
　本件特許の請求項１乃至４に係る発明は、本件特許請求の範囲記載の請求項１乃至４に記載されたとおりである。検討のため、以下のように分説する。以下、本件特許の請求項１に係る発明を本件特許発明１ともいい、請求項２乃至４に係る発明も項番号にしたがって本件特許発明２乃至４ともいう。
　
【請求項１】（本件特許発明１）
Ａ１：テレビジョン番組表に関する情報を提供する方法であって、
Ｂ１：該方法は、
　　　受信機の外部にある放送装置から受信機が受信した放送信号から、テレビジョン番組表に含まれる複数の項目のそれぞれに対応するタイトル情報と、該複数の項目のそれぞれに対応する番組説明情報とを取得するステップと、
Ｃ１：時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップと、
Ｄ１：該モニタースクリーン上でカーソルを移動することにより、該複数のセルのうちの１つを選択するステップと、
Ｅ１：該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示するステップと
　　を包含する、方法。
　
【請求項２】（本件特許発明２）
Ｆ１：前記時間およびチャンネルの番組ガイドの形式で前記少なくともいくつかの項目を表示するステップは、グリッドガイド形式で該少なくともいくつかの項目を表示するステップを包含する、請求項１に記載の方法。
　
【請求項３】（本件特許発明３）
Ｂ２：受信機の外部にある放送装置から受信機が受信した放送信号から、テレビジョン番組表に含まれる複数の項目のそれぞれに対応するタイトル情報と、該複数の項目のそれぞれに対応する番組説明情報とを取得する手段と、
Ｃ２：時間およびチャンネルの番組ガイドの形式で該テレビジョン番組表に含まれる複数の項目のうちの少なくともいくつかの項目をモニタースクリーンに表示する手段であって、該番組ガイドは、複数のセルを含み、該複数のセルのそれぞれは、該少なくともいくつかの項目のうちの１つに関連付けられている、手段と、
Ｄ２：該モニタースクリーン上でカーソルを移動することにより、該複数のセルのうちの１つを選択する手段と、
Ｅ２：該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する手段と
　　を含む、電子番組ガイドシステム。
　
【請求項４】（本件特許発明４）
Ｆ２：前記時間およびチャンネルの番組ガイドの形式で前記少なくともいくつかの項目を表示する手段は、グリッドガイド形式で該少なくともいくつかの項目を表示する手段を含む、請求項３に記載の電子番組ガイドシステム。
　
第４　判断
　本件特許明細書の記載要件についての無効理由２を判断してから、無効理由１および３の判断を行う。
　
１．無効理由２（３６条６項１号、２号、３６条４項）について
（１）無効理由２　ア．について
　ア．「番組説明情報を取得する」について
　本件特許発明において、「番組説明情報」という用語は、「番組説明情報」という用語自体から、「番組」を説明する情報であると認められ、一般に新聞のテレビ・ラジオ欄や放送スケジュール雑誌などで番組について説明されている紹介記事等の番組を説明する情報が、本件特許における「番組説明情報」に相当することが理解される。
　本件特許明細書には、テレビジョン番組表に関する情報の取得に関して、段落【００７３】、【００７４】、【００７６】に垂直ブランキングインターバル（ＶＢＩ）から「リスト情報（リストデータ、リスト）」を取得することが記載されており、また、段落【００８３】では「リスト情報（リストデータ、リスト）」を「スケジュール情報」という表現をしており、「リスト」「スケジュール」という表現をしているものの、この情報が、本件特許明細書で各図面で説明される各種表示形態の表として表示を行うための表示内容情報を含むものであることは、詳細に説明されずとも理解することができる。
　そして、そのような各図面で説明される各種表示形態の表として表示を行うために必要となる内容情報を取得する手段としては、ＶＢＩの他には、「これ（ＶＢＩ）に替えて、またはこれに補助的に、通信回線２７０から・・ダウンロードすることも可能」（【００８３】）と記載されているだけであるから、「通信回線２７０から・・ダウンロード」する構成を採用しない場合に、図面で説明される各種表示形態の表として表示を行うために必要となる内容情報はＶＢＩから取得するものと理解される。
　そうすると、図６で１つの表示形態の表として表示される際の番組ノートオーバレイ５２の内容である段落【００２３】の例、図６の「ドロシー・・・」はＶＢＩから取得するものと理解され、したがって、「番組説明情報」が放送信号（ＶＢＩ）から取得されることは、本件特許明細書の発明の詳細な説明に記載されているということができる。
　
　イ．「項目」について
　本件特許明細書の発明の詳細な説明には「項目」という用語は単独では用いられていないが、「項目」という用語（こう‐もく【項目】：物事を或る基準で区分した一つ一つ。「関連―」「―別」[株式会社岩波書店 広辞苑第五版]）自体から、「テレビジョン番組表に含まれる複数の項目」は、「テレビジョン番組表に」「複数」「含まれる」ものであって、「或る基準で区分した一つ一つ」であると理解される。そして、テレビジョン番組表が、通常、複数のテレビジョン番組を１つ１つを枠で囲むことで１つ１つのテレビジョン番組として区別して一覧すること、本件特許において、タイトル情報が「それぞれに対応する」とされることから、「テレビジョン番組表に含まれる複数の項目」の「項目」とは、テレビジョン番組表における１つ１つの番組の概念であると理解される。
　
　ウ．「テレビジョン番組表に含まれる複数の項目のそれぞれに対応する番組説明情報」について
　本件特許明細書には、段落【００２３】に番組ノートオーバレイ５２の例が記載され、図６に番組ノートオーバレイ５２が図示されている。これら段落【００２３】の例、図６に番組ノートオーバレイ５２の内容「ドロシー・・・」が、番組を説明するために用いられていることは明らかであり、上記「番組説明情報」「項目」の理解からすれば、段落【００２３】の例、図６に番組ノートオーバレイ５２の内容「ドロシー・・・」が本件特許の「番組説明情報」であって、「テレビジョン番組表に含まれる複数の項目のそれぞれに対応する番組説明情報」が本件特許明細書の発明の詳細な説明に記載されていることは明らかである。
　
　エ．無効理由２　ア．についてまとめ
　以上のようであるから、「受信機の外部にある放送装置から受信機が受信した放送信号から、テレビジョン番組表に含まれる複数の項目のそれぞれに対応するタイトル情報と、該複数の項目のそれぞれに対応する番組説明情報とを取得する」は、本件明細書の発明の詳細な説明には記載されていないということはできず、無効理由２　ア．については理由がないというべきである。
　
（２）無効理由２　イ．について
　本件特許発明において「項目」については、上記「第４　１．（１）イ．「項目」について」で述べたように理解されるから、その意味が不明確であるということはできない。
　よって、無効理由２　イ．については理由がないというべきである。
　
（３）無効理由２　ウ．について
　本件特許明細書段落【０００７】に「印刷されたグリッドテレビジョンスケジュールガイドは、よく番組のタイトル及び放送局名以外の付属情報を含む。そのようなグリッドはまた一般に、各番組の紹介、その番組が再放送かどうか、映画の人気及びその他の情報を含むより詳細な印刷スケジュールと組み合わせて提供される。」ともあるような、一般に新聞のテレビ・ラジオ欄や放送スケジュール雑誌などに印刷されている表される表のようなテレビジョン番組を一覧できる表が、通常、複数のテレビジョン番組を１つ１つを枠で囲むことで１つ１つのテレビジョン番組として区別して一覧するものであり、本件特許におけるテレビジョン番組表において、そのような枠で囲まれた範囲を「セル」ということは明らかであって、実施例では例えば図１のセル２１とされるように、セルが１つの番組に対応していることは明らかである。上記「第４　１．（１）イ．「項目」について」で述べたように、本件特許の「項目」という用語は、番組の概念であると理解されるから、「該複数のセルのそれぞれは、該少なくともいくつかの項目のうちの１つに関連付けられている」ことは、本件特許明細書の発明の詳細な説明に記載されているということができる。
　本件特許発明において「項目」については、上記のように理解されるから、その意味が不明確であるということはできず、意味が不明確な「項目」の用語が用いられているために明確ではないということもできない。
　よって、無効理由２　ウ．については理由がないというべきである。
　
（４）無効理由２　エ．について
　本件特許明細書には「選択した番組の番組ノートは、要求に応じてグリッドガイド上に重ねて表示される。・・・ガイドの隠蔽を最小にするために、自動移動ノートが使用される。番組ノートは、スクリーンの上半分か下半分に重ねられ、必要に応じて、選択されたリストのタイトルをマスクを回避できるようになっている。カーソル３２がスクリーンの上半分に位置するとき、ノートは、下半分に位置し、逆場合は、この反対となる。カーソル３２が、スクリーンの下半分に移動すると、ノートは、自動的にスクリーンの上半分に位置するようになる。」（【００２４】）と記載され、具体的構成は「番組ノートは、スクリーンの上半分か下半分に重ねられ、」「カーソル３２がスクリーンの上半分に位置するとき、ノートは、下半分に位置し、逆場合は、この反対となる。カーソル３２が、スクリーンの下半分に移動すると、ノートは、自動的にスクリーンの上半分に位置する」であり、その目的及び作用効果が「選択されたリストのタイトルをマスクを回避」することであるとされている。
　この「マスクを回避」するとは「マスク」すなわち「覆うこと」を回避することであり、「選択されたリストのタイトルをマスクを回避」するとは、「選択されたリストのタイトル」を「覆うこと」を回避することと理解される。そして、上記具体的構成が「選択されたリストのタイトルをマスクを回避」する作用効果を奏するのは、「番組ノート」すなわち「番組説明情報」のスクリーン上の位置が「上半分」「下半分」であるかではなく、「カーソル３２」すなわち選択されたセルと異なる位置であることで「カーソル３２」すなわち選択されたセルを「覆うこと」を回避することによることは、自明であるから、本件特許明細書には、上記具体的構成のみならず、「番組ノート」すなわち「番組説明情報」のスクリーン上の位置が「カーソル３２」すなわち選択されたセルと異なる位置であることが記載されているということができる。
　したがって「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する」は、本件明細書の発明の詳細な説明には記載されていないということはできない。
　よって、無効理由２　エ．については理由がないというべきである。
　
（５）無効理由２　オ．について
　本件特許発明は「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する」とされる。（請求項１、請求項３参照。）
　本件特許発明の該構成に関して本件特許明細書には上記のように具体的構成「カーソル３２がスクリーンの上半分に位置するとき、ノートは、下半分に位置し、逆場合は、この反対となる。カーソル３２が、スクリーンの下半分に移動すると、ノートは、自動的にスクリーンの上半分に位置する」が記載されており、一般的なカーソルを用いた技術によって実施できることが理解できる。
　したがって、「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する」に関する説明としては、本件明細書の発明の詳細な説明に、当業者がその実施をすることができる程度に明確かつ十分に記載されていないということはできない。
　よって、無効理由２　オ．については理由がないというべきである。
　
　請求人は「実際に『どのような要求を受けたときに、どのようにして番組ノートを表示するのか』について一切説明がない。」と主張するが、「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する」は、どのような要求によるのかを特定するものではなく、また、カーソルを用いた技術が、マウスクリック、キー操作、カーソルのフォーカスなどを様々な動作の契機とできるものであることは一般的であるから、「実際に『どのような要求を受けたときに、どのようにして番組ノートを表示するのか』について一切説明がない。」としても、本件明細書の発明の詳細な説明に、当業者がその実施をすることができる程度に明確かつ十分に記載されていないということはできない。
　
（６）無効理由２についてのまとめ
　以上のようであって、無効理由２　ア．乃至オ．は、いずれも理由がなく、請求人が主張する無効理由２については理由がないというべきである。
　
２．無効理由１（２９条２項）について
（１）本件特許発明１について
　ア．本件特許発明１
　構成Ａ１〜Ｅ１に分説した本件特許発明１を以下に再掲する。
　
【請求項１】（本件特許発明１）
Ａ１：テレビジョン番組表に関する情報を提供する方法であって、
Ｂ１：該方法は、
　　　受信機の外部にある放送装置から受信機が受信した放送信号から、テレビジョン番組表に含まれる複数の項目のそれぞれに対応するタイトル情報と、該複数の項目のそれぞれに対応する番組説明情報とを取得するステップと、
Ｃ１：時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップと、
Ｄ１：該モニタースクリーン上でカーソルを移動することにより、該複数のセルのうちの１つを選択するステップと、
Ｅ１：該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示するステップと
　　を包含する、方法。
　
　イ．甲第１号証（特開平２−１８９７５３号公報）
　本件特許の出願前に頒布された刊行物である甲第１号証（特開平２−１８９７５３号公報）（以下、「甲１」ともいう）には、図面と共に次の記載がある。
　なお、「○１」の表記は記号「○」中に数字「１」がある記号を示す（他の数字についても同じ）。情報処理装置の文字処理能力の事情により、以下、このように表記する。
　
（甲１の記載）
「３．発明の詳細な説明
　　（イ）　産業上の利用分野
　本発明は、テレテキスト放送が受信可能なビデオテープレコーダ（ＶＴＲ）に関し、特にテレテキストデータに含まれる放送予定番組の放送開始時刻、番組タイトル等を示す複数種の文字データを取り込むことが可能なビデオテープレコーダの番組予約方法に関するものである。
　　（ロ）　従来の技術
　従来、ＶＴＲで録画予約を行う場合は、録画開始時刻、終了時刻、チャンネル番号などの項目を一つずつキー操作によって入力して行かなければならなかった。このため、録画予約のためのキー操作の回数が多くなり操作手順が複雑になってしまったり、誤入力により希望する放送番組が録画できなくなってしまうという事態を招来していた。ところで、近年放送局によっては、テレテキスト放送の一部として放送予定番組の放送開始時刻、番組タイトル等の情報（番組表）を送っており、この番組表を利用して録画する方法が例えば西ドイツ公開特許明細書第３３３５０８号に提案されている。
　これは、第４図の如く放送局から送られてくる放送予定番組の放送開始時刻やタイトルが書かれた番組表がデイスプレィの画面（１００）上に表示され、ユーザはこの表示を見ながら、所望する予約番組をカーソル（２００）で指定することにより、録画予約に必要なデータをとりだして番組予約するものであり、これによって番組予約に要するキー操作の回数を大幅に滅らすことが出来、更に番組表を画面に表示することにより、番組のタイトルを見て録画予約することができるので、誤入力を少なくすることができる。
　　（ハ）　発明が解決しようとする課題
　ところで、放送局から送られてくる番組表の受信機側における表示態様は第４図に示されるように「１２：００　ＮＥＷＳ」、「１２：１５　ＭＵＳＩＣ　ＳＨＯＷ」の如く簡略化された形または放送局独自のフォーマットで表示されるものであり、例えば図示の如くカーソル（２）で　「１２：００　ＮＥＷＳ」を指定して録画予約キーを押圧しても、１２時から始まるニュースを予約されることはユーザに分かるが、更に詳細な予約データ（録画予約日付、チャンネル、録画開始及び終了時刻）等の情報を表示画面から知り得る事ができず、極めて不便であった。
　そこで、本発明はかかる欠点を解決しようとするものである。
　　（ニ）　課題を解決するための手段
　本発明の番組予約方法は上記課題を解決すべくテレビジョン映像信号の垂直ブランキング期間に重畳されたテレテキスト信号に含まれる放送予定番組の番組表及びこの番組表の各項目に対応する番組予約データを取り込むようにしたビデオテープレコーダにおいて、
　画面上に表示される前記番組表の項目を選択したとき、その選択された項目に対応する番組予約データを前記番組表の表示画面と同一画面に文字によって表示させるようにした。
　　（ホ）　作用
　上記手段によれば、カーソル等で画面上において選択された番組表の項目に対応した番組予約データを文字として確認できる。
　　（へ）　実施例
　以下、本発明の一実施例を第１図乃至第３図を参照しつつ説明する。
　第１図は本発明を実施したＶＴＲの概略ブロック図を示しており、アンテナ（１）で捕らえられた放送信号はチューナ（２）で受信選択され、映像中間周波数及び検波回路［ＩＦ・ＤＥＴ］（３）を介して映像信号処理回路（４）によって信号処理された表示切換回路（５）に供給される。この表示切換回路（５）はマイクロコンピュータにより構成されるテレテキスト制御部（６）からの切換信号（ａ）によって、前記映像信号処理回路（４）からのビデオ信号（ｂ）またはキャラクタジェネレータ（７）からの文字信号（ｃ）を選択し、出力するようになっている。
　一方、ＩＦ・ＤＥＴ（３）から得られるビデオ信号のうち垂直帰線期間に多重されたテレテキスト信号は、テレテキスト信号抜取回路（８）によって抽出されて、ページ選択回路（９）に供給される。このページ選択回路（９）はテレテキスト制御部（６）から指示されたページ番号のデータだけを抜き出して画面メモリ（１０）に供給する。画面メモリ（１０）は前記ページ選択回路（９）で選択された特定のページ番号の画面データを、テレテキスト制御部（６）からの制御信号に従って書込む。前記画面メモリ（１０）に書込まれたデータはテレテキスト制御部（６）からの制御信号に従って読み出された後、キャラクタジェネレータ（７）により文字信号に変換される。
　このように、テレテキスト制御部（６）は上記のようにページ選択回路（９）と表示切換回路（５）に命令を送ることによりテレビ画面及びテレテキスト画面の表示制御を行う他、直接画面メモリ（１０）にデータを書き込んで任意の文字を表示することもできる。
　（１１）はキー入力部であって、このキー入力部（１１）をユーザが操作することにより、テレテキスト制御部（６）はそのキー操作に応じた処理を行う。又、ワークメモリ（１２）は、テレテキスト制御部（６）が番組予約処理などを行うときに使用される。
　テレテキスト制御部（６）による番組予約録画について述べると、ユーザのキー入力部（１１）の操作により、デイスプレイ上に、テレテキストの所定番号のページの画面を表示し、カーソルを移動せしめて所望する番組を選択後、録画予約キーを押すと、その選択された番組に対応する番組予約データを予約データメモリ（１９）に書込む。予約データメモリ（１９）に書き込まれた予約データは、マイクロコンピュータから構成されたタイマー予約制御部（１３）により読出される。ＩＦ・ＤＥＴ（３）から得られるビデオ信号のうち垂直帰線期間に多重されたＶＰＳ（Ｖｉｄｅｏ　Ｐｒｏｇｒａｍ　Ｓｙｓｔｅｍ　）信号はＶＰＳ信号抜取回路（１４）で抽出されてタイマー予約制御部（１３）に供給され、又、時計回路（１５）からの時刻データがタイマー予約制御部（１３）に与えられる。前記タイマー予約制御部（１３）は前記時刻データまたは、ＶＰＳ信号が存在する場合はＶＰＳ信号と前記予約データを比較し、両データが一致したとき、選局回路（１６）を制御してチューナ（２）により所定のＴＶ番組を選局すると共に、システムコントローラ（１７）に録画命令を送る。システムコントローラ（１７）は、前記録画命令を受けると録画回路（１８）を制御し、録画が開始される。そして、録画終了時刻になって、録画が終了すると予約データメモリ（１９）に書込まれている番組予約データは消去されるようになっている。
　次に、第１図とともに第２図及び第３図を参照しつつ、テレテキスト放送で送られてくる番組録画予約におけるテレテキスト制御部（６）の動作を更に詳細に説明する。
　まず、ユーザが図示しない番組予約表示キーを押してテレテキスト画面のページを選択すると、その選択されたページの画面のデータが画面メモリ（１０）に取込まれるが、テレテキスト制御部（６）はまずこの所定のページの画面データが完全に取込まれたかどうかの判断を行う（ステップ○１）。画面データの画面メモリ（１０）への取込みが完了すると、制御部（６）は前記画面データを読込み（ステップ○２）解析して録画予約データ［Ｐｏｓ．（チャンネルポジション）、Ｄａｔｅ（日付）、Ｓｔａｒｔ（録画開始時刻）、Ｓｔｏｐ（録画終了時刻）］を抜きだし、ワークメモリ（１２）に書込む（ステップ○３）。
　前記選択されたページ一画面分の予約データがワークメモリ（１２）に書き込まれると、制御部（６）はワークメモリ（１２）に書込まれた一番初めの番組予約データを文字データとして画面メモリ（１０）に書込むことにより番組表（第２図（Ａ））とともに該番組表が表示された画面と同一の画面（１００）に番組予約データの内容（第２図（Ｂ））を表示する。この時、番組表（第２図（Ａ））に於て、表示された番組予約データに対応する番組表の項目の位置にカーソル（２０）を表示し、これによりユーザに現在選択されている番組とその番組予約データとを対応づけて知らせる［ステップ○５］。
　ここで、テレテキスト制御部（６）はキー人力部（１１）からの次のキー入力を待つ［ステップ○６］。
　次に入力されたキーがステップ○７でカーソル移動のキーであると判断されると、該カーソル（２０）の移動によって指定される番組の項目（例えば「１２：１５　ＭＵＳＩＣ　ＳＨＯＷ」）に対応する番組予約データをワークメモリ（１２）から読みだし、画面メモリ（１０）に文字データとして書込むことにより、その番組予約データを第２図に示す画面の領域（Ｂ）に表示する［ステップ○８］とともに、ステップ○９でその領域（Ｂ）に表示された番組予約データに対応する上記項目（「１２：１５　ＭＵＳＩＣ　ＳＨＯＷ」）の位置にカーソル（２０）を表示する。
　ステップ○７でキー入力がカーソル移動のキーでないと判断されると、ステップ○１０で予約実行キーによる入力かどうかの判断がなされ、予約実行キーによるキー入力であると判断されると、カーソル（２０）で指定されている番組の項目の番組予約データ、即ち、画面の領域（Ｂ）に表示されている番組予約データを予約データにメモリに（１９）に書込み（ステップ　）、終了する。
　番組予約データが予約データメモリ（１９）に書込まれた後の動作は既に説明した通りであり、上述の一連の動作により、テレテキスト放送による番組予約録画が行われる。
　　（ト）発明の効果
　本発明によれば、テレテキスト放送で送られてくる番組表の項目を指定する毎に、その項目に対応した番組予約データを画面上において文字で確認できるという効果がある。」（第１頁左下欄第１４行〜第４頁左上欄第１行）
（甲１の記載、以上）
　
　上記記載によると、
　まず、
　「制御部（６）はワークメモリ（１２）に書込まれた一番初めの番組予約データを文字データとして画面メモリ（１０）に書込むことにより番組表（第２図（Ａ））とともに該番組表が表示された画面と同一の画面（１００）に番組予約データの内容（第２図（Ｂ））を表示する。この時、番組表（第２図（Ａ））に於て、表示された番組予約データに対応する番組表の項目の位置にカーソル（２０）を表示し、これによりユーザに現在選択されている番組とその番組予約データとを対応づけて知らせる」（第３頁左下欄第１〜１１行）
　とあり、
　第２図には、番組表（第２図（Ａ））が表示されている様子が図示されていることから、
　甲１には、番組表を表示する技術が記載されている。
　
　次に、
　「従来、ＶＴＲで録画予約を行う場合・・・近年放送局によっては、テレテキスト放送の一部として放送予定番組の放送開始時刻、番組タイトル等の情報（番組表）を送っており、この番組表を利用して録画する方法が・・・提案されている。
　これは、第４図の如く放送局から送られてくる放送予定番組の放送開始時刻やタイトルが書かれた番組表がデイスプレィの画面（１００）上に表示され、ユーザはこの表示を見ながら、・・・番組予約するものであり、・・・番組表を画面に表示することにより、番組のタイトルを見て録画予約することができる」（第１頁右下欄第３行〜第２頁左上欄第５行）
　「放送局から送られてくる番組表の受信機側における表示態様は第４図に示されるように「１２：００　ＮＥＷＳ」、「１２：１５　ＭＵＳＩＣ　ＳＨＯＷ」の如く簡略化された形または放送局独自のフォーマットで表示されるものであり、・・・更に詳細な予約データ（録画予約日付、チャンネル、録画開始及び終了時刻）等の情報を表示画面から知り得る事ができず、極めて不便であった。
　そこで、本発明はかかる欠点を解決しようとするものである。」（第２頁左上欄第８〜２０行）
　「本発明の番組予約方法は・・・テレビジョン映像信号の垂直ブランキング期間に重畳されたテレテキスト信号に含まれる放送予定番組の番組表及びこの番組表の各項目に対応する番組予約データを取り込むようにした」（第２頁右上欄第２〜６行）
　「テレテキスト放送で送られてくる番組録画予約におけるテレテキスト制御部（６）の動作を更に詳細に説明する。・・・ユーザが図示しない番組予約表示キーを押してテレテキスト画面のページを選択すると、・・・制御部（６）は前記画面データを読込み（ステップ○２）解析して録画予約データ［Ｐｏｓ．（チャンネルポジション）、Ｄａｔｅ（日付）、Ｓｔａｒｔ（録画開始時刻）、Ｓｔｏｐ（録画終了時刻）］を抜きだし、ワークメモリ（１２）に書込む（ステップ○３）。・・・制御部（６）はワークメモリ（１２）に書込まれた一番初めの番組予約データを文字データとして画面メモリ（１０）に書込むことにより番組表（第２図（Ａ））とともに該番組表が表示された画面と同一の画面（１００）に番組予約データの内容（第２図（Ｂ））を表示する。」（第３頁右上欄第４行〜左下欄第７行）
　とあり、
　第２図には、番組表（第２図（Ａ））、番組予約データの内容（第２図（Ｂ））が表示されている様子が図示されていることから、
　甲１記載の番組表を表示する技術は、
「放送のテレビジョン映像信号の垂直ブランキング期間に重畳されたテレテキスト信号に含まれる放送予定番組の番組表及びこの番組表の各項目に対応する番組予約データを取り込む」ものであり、取り込まれる「放送予定番組の番組表及びこの番組表の各項目に対応する番組予約データ」は、「番組のタイトル」、「録画予約日付」、「チャンネル」、「録画開始及び終了時刻」を含むものである。
　
　次に、
　第２図の番組表（第２図（Ａ））は「１２：００　ＮＥＷＳ」、「１２：１５　ＭＵＳＩＣ　ＳＨＯＷ」という行を縦に並べた表示態様で表示されており、番組予約データの内容（第２図（Ｂ））には、［Ｐｏｓ．（チャンネルポジション）、Ｄａｔｅ（日付）、Ｓｔａｒｔ（録画開始時刻）、Ｓｔｏｐ（録画終了時刻）］が表示されており、
　そして、
「番組表（第２図（Ａ））に於て、表示された番組予約データに対応する番組表の項目の位置にカーソル（２０）を表示し、これによりユーザに現在選択されている番組とその番組予約データとを対応づけて知らせる［ステップ○５］。」（第３頁左下欄第７〜１１行）
「入力されたキーがステップ○７でカーソル移動のキーであると判断されると、該カーソル（２０）の移動によって指定される番組の項目（例えば「１２：１５　ＭＵＳＩＣ　ＳＨＯＷ」）に対応する番組予約データをワークメモリ（１２）から読みだし、画面メモリ（１０）に文字データとして書込むことにより、その番組予約データを第２図に示す画面の領域（Ｂ）に表示する［ステップ○８］とともに、ステップ○９でその領域（Ｂ）に表示された番組予約データに対応する上記項目（「１２：１５　ＭＵＳＩＣ　ＳＨＯＷ」）の位置にカーソル（２０）を表示する。」（第３頁左下欄第１４行〜右下欄第４行）
　とあり、例えば「１２：００　ＮＥＷＳ」という行が１つの番組に対応することが明らかであるから、
　甲１記載のテレビ放送の番組表を表示する技術は、番組表（第２図（Ａ））に番組に対応する番組の「開始時刻」と「タイトル」の行を表示し、カーソル（２０）の移動によって番組を選択し、選択された番組に対応する番組予約データの内容（第２図（Ｂ））に番組予約データ（「録画予約日付」、「チャンネル」、「録画開始及び終了時刻」）を表示するものである。
　
　このような、甲１記載のテレビ放送の番組表を表示する技術は、テレビ放送の番組表を表示する方法としても認識できる。
　
　これらのことから、甲１には次の発明（以下、「甲１発明」ともいう）が記載されている。
　
（甲１発明）
　「番組のタイトル」、「録画予約日付」、「チャンネル」、「録画開始及び終了時刻」を含む「放送予定番組の番組表及びこの番組表の各項目に対応する番組予約データ」を「放送のテレビジョン映像信号の垂直ブランキング期間に重畳されたテレテキスト信号」から「取り込み」、
　番組表（第２図（Ａ））に番組に対応する番組の「開始時刻」と「タイトル」の行を表示し、カーソル（２０）の移動によって番組を選択し、選択された番組に対応する番組予約データの内容（第２図（Ｂ））に番組予約データ（「録画予約日付」、「チャンネル」、「録画開始及び終了時刻」）を表示する、
　番組表を表示する方法。
　
　ウ．対比
　本件特許発明１と甲１発明とを対比する。
　（ア）構成Ａ１「テレビジョン番組表に関する情報を提供する方法」
　　甲１発明の番組表もテレビジョンの番組表であり、甲１発明で表示され、当然にユーザーに提供される、「開始時刻」と「タイトル」、選択された番組に対応する番組予約データ（「録画予約日付」、「チャンネル」、「録画開始及び終了時刻」）は、番組表に関する情報といえるから、本件特許発明１と甲１発明とは「テレビジョン番組表に関する情報を提供する方法」で一致する。
　
　（イ）構成Ｂ１「受信機の外部にある放送装置から受信機が受信した放送信号から、テレビジョン番組表に含まれる複数の項目のそれぞれに対応するタイトル情報と、該複数の項目のそれぞれに対応する番組説明情報とを取得するステップ」
　　上記「第４　１．（１）イ．「項目」について」で述べたように、「項目」は、番組の概念であると理解されるところ、甲１発明は、「番組のタイトル」、「録画予約日付」、「チャンネル」、「録画開始及び終了時刻」を含む「放送予定番組の番組表及びこの番組表の各項目に対応する番組予約データ」を「放送のテレビジョン映像信号の垂直ブランキング期間に重畳されたテレテキスト信号」から取り込んでいるから、「放送信号から、テレビジョン番組表に含まれる複数の項目のそれぞれに対応するタイトル情報と、該複数の項目のそれぞれに対応する情報とを取得する」ということができる。そして、「放送のテレビジョン映像信号」であるから、当然に受信機で受信し、放送を行う放送装置は受信機の外部にあるから、甲１発明も、「放送のテレビジョン映像信号」を「受信機の外部にある放送装置から受信機が受信」するといえる。
　　もっとも、タイトル情報と共に取得される「複数の項目のそれぞれに対応する情報」が、本件特許発明１では「番組説明情報」であることに対し、甲１発明では「番組予約データ」を取得しているが「番組説明情報」を取得していない点で相違する。
　
　　請求人は、本件特許発明１の「番組説明情報」の例として「番組の所要時間」「チャンネルマーカー」も含むところ、甲１の「番組予約データ」も開始時間と終了時間とを有していて「番組の所要時間」を表し、チャンネルポジションを有するから、甲１発明の「番組予約データ」も「番組説明情報」であるとも主張する。
　　しかしながら、本件特許発明１の「番組説明情報」は、上記「第４　１．（１）ア．「番組説明情報を取得する」について」で述べたように、一般に新聞のテレビ・ラジオ欄や放送スケジュール雑誌などで番組について説明されている紹介記事等の番組を説明する情報であると理解されるものであり、本件特許発明１が、使用者が番組予約のために用いるものであることから、「番組説明情報」は、その番組の予約を行うか否かを判断する判断材料とするために参照する番組を説明する情報であるといえる。そして、その具体的内容は、「いずれかまたは全てを含む」として本件特許明細書【００２３】に挙げられている内容（番組ジャンル、番組紹介、番組の所要時間、批評等）で、様々な角度からその番組を説明するものである。
　　甲１において、番組予約データの内容（第２図（Ｂ））に表示される番組予約データは、［Ｐｏｓ．（チャンネルポジション）、Ｄａｔｅ（日付）、Ｓｔａｒｔ（録画開始時刻）、Ｓｔｏｐ（録画終了時刻）］であるところ、「更に詳細な予約データ」（甲１第２頁左上欄第１６行）とされており、その［Ｐｏｓ．（チャンネルポジション）、Ｄａｔｅ（日付）、Ｓｔａｒｔ（録画開始時刻）、Ｓｔｏｐ（録画終了時刻）］が、「従来、ＶＴＲで録画予約を行う場合は、録画開始時刻、終了時刻、チャンネル番号などの項目を一つずつキー操作によって入力して行かなければならなかった。」（甲１第１頁右上欄第３〜６行）とされることから、甲１の「番組予約データ」は、その文言どおり、ＶＴＲに設定すべき「番組予約データ」であるといえる。
　　たしかに、甲１の「番組予約データ」の具体的内容は、本件特許発明１の「番組説明情報」の例の一部と同様なものを有するかも知れないが、甲１の「番組予約データ」がＶＴＲに設定すべき「番組予約データ」である以上、ＶＴＲに設定しない「番組紹介」「批評」等を含むことはあり得ず、「番組紹介」「批評」等を例として含む番組の説明としての本件特許発明１の「番組説明情報」と一致するものであるということはできない。
　
　（ウ）構成Ｃ１「時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップ」
　　本件特許発明１は「該テレビジョン番組表に含まれる複数の項目のうちの少なくともいくつかの項目をモニタースクリーンに表示する」表示形態が「時間およびチャンネルの番組ガイドの形式」であるとするものであり、第４　１．（３）無効理由２　ウ．について　で述べたように、本件特許発明１の「セル」は、番組に関連付けられており、「カーソルを移動することにより、該複数のセルのうちの１つを選択する」のであるところ、「番組の「開始時刻」と「タイトル」の行を表示し、」「カーソル（２０）の移動によって番組を選択」する甲１発明の「行」は、番組に関連付けられており、カーソルで選択されて、行毎に区画されているといえるから、本件特許発明１の「セル」に対応する。
　　もっとも、甲１発明の番組表は「番組の「開始時刻」と「タイトル」の行を表示」するものであって、「開始時刻」によって番組を案内（ガイド）するとはいえても、番組予約データの内容（第２図（Ｂ））に「チャンネル」を表示しているものの、番組の番組予約データとしてカーソルで選択された１つの番組のみにしか表示されないから、チャンネルで番組が案内（ガイド）されるとはいえない。
　　そうすると、本件特許発明１と甲１発明とは、
　　「時間の番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップ」という点で一致し、
　　「該テレビジョン番組表に含まれる複数の項目のうちの少なくともいくつかの項目をモニタースクリーンに表示する」表示形態が、本件特許発明１では「時間およびチャンネルの番組ガイドの形式」であって、その形式での「セル」であるところ、甲１発明は「時間およびチャンネルの番組ガイドの形式」ではなく、その形式での「セル」でない点で相違する。
　
　（エ）構成Ｄ１「該モニタースクリーン上でカーソルを移動することにより、該複数のセルのうちの１つを選択するステップ」
　　甲１発明は「番組表（第２図（Ａ））に番組に対応する番組の「開始時刻」と「タイトル」の行を表示し、カーソル（２０）の移動によって番組を選択し」ており、本件特許発明１の「該モニタースクリーン上でカーソルを移動することにより、該複数のセルのうちの１つを選択するステップ」を有するといえる。
　
　（オ）構成Ｅ１「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示するステップ」
　　甲１発明は、「番組表（第２図（Ａ））に番組に対応する番組の「開始時刻」と「タイトル」の行を表示し」ており、「該選択されたセルに関連付けられている該項目に対応する該タイトル情報が、該選択されたセル内に表示されている」ということができる。また、甲１発明は「選択された番組に対応する番組予約データの内容（第２図（Ｂ））に番組予約データ（「録画予約日付」、「チャンネル」、「録画開始及び終了時刻」）を表示する」のであり、番組予約データの内容（第２図（Ｂ））は、「番組に対応する番組の「開始時刻」と「タイトル」の行」を表示する「番組表（第２図（Ａ））」とは別の位置であることから、甲１発明は「該選択されたセルに関連付けられている該項目に対応する該情報を、該選択されたセルが配置されている該モニタースクリーン上の領域とは異なる該モニタースクリーン上の領域に表示する」ということができる。
　　もっとも、上記したように、甲１発明の「番組予約データ」は本件特許発明１の「番組説明情報」とはいえず、また、やはり上記したように、甲１発明の「セル」は「時間およびチャンネルの番組ガイドの形式」での「セル」でない点で相違する。
　
　エ．一致点、相違点
　以上対比によると、本件特許発明１と甲１発明との一致点、相違点は次のとおりである。
　
　［一致点］
　テレビジョン番組表に関する情報を提供する方法であって、
　該方法は、
　受信機の外部にある放送装置から受信機が受信した放送信号から、テレビジョン番組表に含まれる複数の項目のそれぞれに対応するタイトル情報と、該複数の項目のそれぞれに対応する情報とを取得するステップと、
　時間の番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップと、
　該モニタースクリーン上でカーソルを移動することにより、該複数のセルのうちの１つを選択するステップと、
　該選択されたセルに関連付けられている該項目に対応する該タイトル情報が、該選択されたセル内に表示されている一方で、該選択されたセルに関連付けられている該項目に対応する該情報を、該選択されたセルが配置されている該モニタースクリーン上の領域とは異なる該モニタースクリーン上の領域に表示するステップと
　を包含する、方法。
　
　［相違点１］
　「該テレビジョン番組表に含まれる複数の項目のうちの少なくともいくつかの項目をモニタースクリーンに表示する」表示形態が、本件特許発明１では「時間およびチャンネルの番組ガイドの形式」であって、該番組ガイドに複数含まれ、該複数のそれぞれは、該少なくともいくつかの項目のうちの１つに関連付けられ、カーソルで選択される「セル」が、その形式での「セル」であるところ、甲１発明では「時間の番組ガイドの形式」であって「時間およびチャンネルの番組ガイドの形式」ではなく、「セル」がその形式での「セル」でない点。
　
　［相違点２］
　受信機の外部にある放送装置から受信機が受信した放送信号から、テレビジョン番組表に含まれる複数の項目のそれぞれに対応するタイトル情報と（共に）取得する該複数の項目のそれぞれに対応する情報、であり、該選択されたセルに関連付けられている該項目に対応する該タイトル情報が、該選択されたセル内に表示されている一方で、該選択されたセルが配置されている該モニタースクリーン上の領域とは異なる該モニタースクリーン上の領域に表示する該選択されたセルに関連付けられている該項目に対応する該情報である情報が、本件特許発明１では「番組説明情報」であることに対し、甲１発明では「番組予約データ」であって「番組説明情報」ではない点。
　
　オ．相違点の判断
　（ア）［相違点１］の判断
　　ａ．甲第３号証
　　本件特許の出願前に頒布された刊行物である甲第３号証（特開平１−２０９３９９号公報）（以下、「甲３」ともいう）には、図面と共に次の記載がある。
　
（甲３の記載）
「〔実施例〕
　以下、本発明による情報処理システムの一実施例を図面により詳細に説明する。
　第１図は本発明の一実施例の機器構成を示すブロック図、第２図は予め提供されるスケジュールの記録媒体内での論理フォーマットを説明する図、第３図は表示画面を示す図である。第１図〜第３図において、１はデイスプレィ装置、２はＶＴＲ装置、３はＶＴＲ制御部、４は予約制御部、５は操作パネル、６はフロッピーディスク装置、７はテレビ信号ケーブル、７′はＲＧＢ信号ケーブル、８は日付フィールド、８′は曜日フィールド、９−１，９−２はチャンネルフィールド、１０−１，１０−２は時間フィールド、１１−１，１１−２は番組フィールド、１２は日付エリア、１３−１，１３−２はチャンネルエリア、１４は時間エリア、１５は番組エリア、１６はカーソル移動キー、１７はモード切換スイッチ、１８は設定スイッチ、１９はテンキーである。
　定められたスケジュールに従って提供される情報を処理する情報処理の形態は、例えば、気象衛星から定期的に送信されてくる気象情報の受信処理、ＶＴＲによるテレビ放送の録画予約の処理等があるが、本発明の実施例は、本発明をテレビ放送の録画予約の処理に適用したものとして説明する。
　本発明が適用されたＶＴＲにおけるテレビ放送の録画予約の処理システムは、第１図に示すように、ＶＴＲ制御部３、予約制御部４、操作パネル５及びフロッピーディスク（以下ＦＤという）装置６を有するＶＴＲ装置２と、デイスプレイ装置１とにより構成され、操作パネル５は、カーソル移動キー１６、モード切換スイッチ１７、設定スイッチ１８及びテンキー１９等を備えて構成されている。
　第１図に示すシステムにおいて、デイスプレイ装置１は、テレビ信号ケーブル７とＲＧＢ信号ケーブル７′とによりＶＴＲ装置２と接続されており、ＶＴＲ装置２における画像再生時に、ＶＴＲ制御部３から出力される画像信号は、テレビ信号ケーブル７を通ってデイスプレイ装置１に送られて表示される。これを以下ＶＴＲモードと呼ぶこととする。ＶＴＲ制御部３は、ＶＴＲの基本機能である録画、再生機能、１週間分の番組の録画予約機能を含んでおり、録画開始、終了の日時と、そのチャンネル情報とは、予約制御部４からセットされるものとする。予約制御部４は、１週間分のテレビ放送のスケジュールが記録されたＦＤの内容をＦＤ装置６から読出して、その内容をＲＧＢ信号ケーブル７′を介してデイスプレイ装置１に表示する。操作者が、この表示を目視しながら操作パネル５の操作により録画したい番組を選択すると、予約制御部４は、その番組の録画開始、終了の夫々の日時と、そのチャンネル情報をＶＴＲ制御部３に登録する。これを予約モードと呼ぶこととする。ＶＴＲモードと予約モードとの切換えは、モード切換スイッチ１７により行われる。
　ＦＤ装置６にセットされるＦＤは、予め提供される１週間分の放送スケジュールを記録しており、このＦＤに記録されている放送スケジュールの内容を示すデータの論理フォーマットが第２図に示されている。１日分のデータは、日付フィールド８、曜日フィールド８′に続き、各チャンネル毎に、時間フィールドと番組フィールドとにより記録されている。１チャンネル分のフォーマットは、第２図の例では、まず、チャンネルフィールド９−１により１ＣＨの番組であることが示された後、このフィールドに引続いて、時間フィールド１０−１と番組フィールド１１−１との対のフィールドが、１日分の番組の数だけ設けられて、番組スケジュールを示すように構成されている。次に、第２チヤンネルの１日分のスケジュールが、チャンネルフィールド９−２に引続き、時間フィールド１０−２と番組フィールド１１−２との組が１日分の番組の数だけ設けられて示される。ＦＤ内には、番組を提供している全てのチャンネルについて、その一週間分の番組が順次前述と同様にフォーマットされたスケジュールとして記録されている。
　前述のフォーマットにおいて、時間フィールド１０−１，１０−２には、対応する番組フィールド１１−１，１１−２で示される番組の開始及び終了時刻が記録されており、番組フィールド１１−１，１１−２には、一般的には番組名称と、必要に応じてその番組の概要が記録されている。
　次に、第２図に示すようなフォーマットでスケジュールを記録しているＦＤを用いて録画予約を行おうとする場合の動作を説明する。この動作例は、９月２０日、日曜日の１９時〜２０時に、第１チヤンネルのニュースＡ、同日の２０時〜２２時に第２チヤンネルの映画Ａの録画予約を行うものとして説明する。
　まず、モード切換スイッチ１７を操作することにより、第１図に示すシステムを予約モードとし、テンキー１９より「０９２０」と日付の入力を行う。これにより、デイスプレイ装置１には、９月２０日の番組表が表示される。この表示を目視しながらカーソル移動キー１６を操作し、カーソルをデイスプレイ装置１上の画面の最上端あるいは最下端に移動させると、時間スクロールが行われ、画面上には、異なる時間帯の番組が次々と表示され、また、カーソルを最左端あるいは最右端に移動させると、チャンネルスクロールが行われ、画面上には、他チャンネルの番組が表示される。
　第３図には、このようにして表示された画面の一例が示されており、ＦＤ内の日付フィールド８、曜日フィールド８′の情報は、日付エリア１２に、チャンネルフィールド９−１，９−２の情報は、チャンネルエリア１３−１，１３−２に夫々表示され、番組フィールド１１−１，１１−２の情報は、時間フィールド１０−１，１０−２を表示する時間エリア１４に対応した番組エリア１５に夫々表示される。第３図に示す例では、１９時〜２３時における第１チヤンネルと第２チヤンネルの番組表が表示されている。
　録画予約を行おうとする操作者は、この表示画面の中に所望する番組を見付け出すと、カーソル移動キー１６を操作して、カーソルを所望の番組に移動させる。カーソルは、その番組を表示しているエリア全体の色を変える等により、その番組を選択していることを示すものであり、第３図では、カーソルは斜線で表わされていて、ニュースＡが選択された状態を示している。この状態で、設定スイッチ１８を操作すると、予約制御部４は、ニュースＡを録画するために必要な、ＦＤ内の日付フィールド８、曜日フィールド８′、チャンネルフィールド９−１、時間フィールド１０−１の情報をＶＴＲ制御部３内にセットし、ニュースＡの録画予約が完了する。次に、カーソル移動キー１６を操作してカーソルを第３図の映画Ａに移動し、設定スイッチ１８を操作すれば、前述と同様にして映画Ａの録画予約が完了する。
　前述の実施例は、１画面に２つのチャンネルの番組表を表示できるようにしたが、表示されるチャンネル数は、さらに多くてもよい。また、例えば、１個のチャンネルのみとして、表示できる時間帯を多くしてもよい。
　また、前述の実施例は、番組のスケジュールがフロッピーディスク等の記録媒体により提供されるとしたが、番組の情報が通信手段を介して直接ＶＴＲ装置に提供されるようにしてもよい。
　前述した本発明の実施例によれば、提供されるテレビ放送番組のスケジュールを画面上に表示しながら、表示画面上で所望する番組を選択するのみで、番組の録画予約を行うことができるので、簡単な操作で、確実な録画予約を行うことができる。」（第２頁右上欄第１４行〜第４頁左上欄第１６行）
（甲３の記載、以上）
　
　　上記記載によると、
　　まず、
　　「本発明の実施例は、本発明をテレビ放送の録画予約の処理に適用したものとして説明する。」（第２頁左下欄第１６〜１８行）
　　「予約制御部４は、１週間分のテレビ放送のスケジュールが記録されたＦＤの内容をＦＤ装置６から読出して、その内容をＲＧＢ信号ケーブル７′を介してデイスプレィ装置１に表示する。操作者が、この表示を目視しながら操作パネル５の操作により録画したい番組を選択する・・」（第２頁右下欄第１８行〜第３頁左上欄第３行）
　　「第３図には、このようにして表示された画面の一例が示されており、・・・１９時〜２３時における第１チヤンネルと第２チヤンネルの番組表が表示されている。」（第３頁左下欄第１５行〜右下欄第４行）
　　とあることから、
　　甲３には、
　　テレビ放送の番組表を表示する技術が記載されている。
　
　　次に、
　　「予約制御部４は、１週間分のテレビ放送のスケジュールが記録されたＦＤの内容をＦＤ装置６から読出して、その内容をＲＧＢ信号ケーブル７′を介してデイスプレィ装置１に表示する。」（第２頁右下欄第１８行〜第３頁左上欄第２行）
　　「このＦＤに記録されている放送スケジュールの内容を示すデータの論理フォーマットが第２図に示されている。」（第３頁左上欄第１１〜１３行）
　　「チャンネルフィールド９−１により１ＣＨの番組であることが示された後、このフィールドに引続いて、時間フィールド１０−１と番組フィールド１１−１との対のフィールドが、１日分の番組の数だけ設けられて、番組スケジュールを示すように構成されている。」（第３頁左上欄第１７行〜右上欄第２行）
　　「時間フィールド１０−１，１０−２には、対応する番組フィールド１１−１，１１−２で示される番組の開始及び終了時刻が記録されており、番組フィールド１１−１，１１−２には、一般的には番組名称と、必要に応じてその番組の概要が記録されている。」（第３頁右上欄第１０〜１５行）
　　「番組のスケジュールがフロッピーディスク等の記録媒体により提供されるとしたが、番組の情報が通信手段を介して直接ＶＴＲ装置に提供されるようにしてもよい。」（第４頁左上欄第７〜１０行）
　　とあることから、
　　甲３記載のテレビ放送の番組表を表示する技術は、番組の数だけ設けられる番組フィールドに一般的には番組名称と、必要に応じてその番組の概要が記録されている論理フォーマットの放送スケジュールの内容を示すデータを通信手段を介して提供されることが記載されている。
　
　　次に、
　　「第３図には、このようにして表示された画面の一例が示されており、・・・チャンネルフィールド９−１，９−２の情報は、チャンネルエリア１３−１，１３−２に夫々表示され、番組フィールド１１−１，１１−２の情報は、時間フィールド１０−１，１０−２を表示する時間エリア１４に対応した番組エリア１５に夫々表示される。第３図に示す例では、１９時〜２３時における第１チヤンネルと第２チヤンネルの番組表が表示されている。」（第３頁左下欄第１５行〜右下欄第４行）
　　とあり、
　　第３図には、左側に時間エリア１４、上側にチャンネルエリア１３−１，１３−２、時間エリア１４とチャンネルエリア１３−１，１３−２とで囲まれた位置に番組エリア１５が区画されて表示される様子が図示されていることから、
　　甲３記載のテレビ放送の番組表を表示する技術は、時間フィールドを表示する時間エリアとチャンネルフィールドの情報が表示されるチャンネルエリアとで囲まれた位置に番組フィールドの情報が表示される番組エリア１５が区画されて表示されるものであることが記載されている。
　
　　次に、
　　「録画予約を行おうとする操作者は、この表示画面の中に所望する番組を見付け出すと、カーソル移動キー１６を操作して、カーソルを所望の番組に移動させる。カーソルは、その番組を表示しているエリア全体の色を変える等により、その番組を選択していることを示すものであり、第３図では、カーソルは斜線で表わされていて、ニュースＡが選択された状態を示している。」（第３頁右下欄第５〜１２行）
　　ことから、
　　甲３記載のテレビ放送の番組表を表示する技術は、表示画面の中でカーソルを移動させ、番組を表示しているエリアを選択して番組を選択するものであることが記載されている。
　
　　これらのことから、甲３には次の技術が記載されている。
　
（甲３記載の技術）
　番組の数だけ設けられる番組フィールドに一般的には番組名称と、必要に応じてその番組の概要が記録されている論理フォーマットの放送スケジュールの内容を示すデータを通信手段を介して提供され、
　時間フィールドを表示する時間エリアとチャンネルフィールドの情報が表示されるチャンネルエリアとで囲まれた位置に番組フィールドの情報が表示される番組エリアが区画されて表示され、
　表示画面の中でカーソルを移動させ、番組を表示しているエリアを選択して番組を選択する、
　テレビ放送の番組表を表示する技術。
　
　　上記甲３記載の技術は「時間フィールドを表示する時間エリアとチャンネルフィールドの情報が表示されるチャンネルエリアとで囲まれた位置に番組フィールドの情報が表示される番組エリアが区画されて表示され」るものであり、図３をみても、番組エリアで表示される番組がどの時間にどのチャンネルで放送されるかが分かるようにされているから、本件特許発明１の「時間およびチャンネルの番組ガイドの形式で該テレビジョン番組表に含まれる複数の項目のうちの少なくともいくつかの項目をモニタースクリーンに表示する」ことに相当する技術であり、甲３記載の技術の「番組エリア」は、図３を見ても分かるように複数、区画されて表示されており、それぞれが番組に対応し、「カーソルを移動させ、番組を表示しているエリアを選択」するから、本件特許発明１の「セル」に相当するものである。
　
　　そうすると、甲３には、相違点１に係る本件特許発明１の構成が記載されているということができる。
　
　　ｂ．甲１への適用
　　甲１の番組表の表示形態は「時間の番組ガイドの形式」であるが、番組表として「時間およびチャンネルの番組ガイドの形式」は、本件特許明細書段落【０００７】に「印刷されたグリッドテレビジョンスケジュールガイドは、よく番組のタイトル及び放送局名以外の付属情報を含む。そのようなグリッドはまた一般に、各番組の紹介、その番組が再放送かどうか、映画の人気及びその他の情報を含むより詳細な印刷スケジュールと組み合わせて提供される。」ともあるような、一般に新聞のテレビ・ラジオ欄や放送スケジュール雑誌などに印刷されている表のようなテレビジョン番組を一覧できる表の形式として一般的であり、番組表をモニタースクリーンに表示する場合においてもそのような一般的な表示形態とすることが甲３に記載されていることから、甲１の番組表の表示形態を「時間の番組ガイドの形式」に変えて番組表の一般的な表示形態「時間およびチャンネルの番組ガイドの形式」とすることは、当業者が容易に想到できたことということができ、その際、甲３記載の技術のように、そのガイドの形式において、複数含まれ、該複数のそれぞれは、該少なくともいくつかの項目のうちの１つに関連付けられている「セル」をカーソルで選択するようにすることで、本件特許発明１の相違点１に係る構成とすることは当業者が容易に想到できることといえる。
　
　（イ）［相違点２］の判断
　　ａ．甲第２号証（甲第２号証　実願昭６２−１７３４６７号（実開平１−７８３２８号）のマイクロフィルム）
　　本件特許の出願前に頒布された刊行物である甲第２号証（甲第２号証　実願昭６２−１７３４６７号（実開平１−７８３２８号）のマイクロフィルム）（以下、「甲２」ともいう）には、図面と共に次の記載がある。
　
（甲２の記載）
「［従来の技術］
　従来、テレビ番組を録画する録画装置は、テレビと接続されるか又は一体化されるかして使用されている。録画装置による録画方法は、使用者がテレビ番組を見ながら録画したい時点で装置を起動させるか、又は内蔵タイマを利用して録画したい番組を事前に予約しておき、自動的に番組を録画する機能を持たせる場合が多い。
　従来の番組予約の方法は、新聞・雑誌に記載されているテレビ番組表から使用者が番組を選択し、時間及びチャンネルを確認して録画装置に入力する。入力については、録画装置に設けられた押釦を押すか或いは時間とチャンネルを示すバーコードを利用するといった方法が探られている。
　[考案が解決しようとする問題点]
　しかしながら、上述の従来例では録画する番組を選択する際に、通常テレビ番組表がタイムテーブルの形で記載されているため、ジャンル別の番組や解説記事を捜し難いという欠点がある。また、録画予約の際にも、チャンネル及び開始・終了時刻をその都度確認して録画装置に入力するという煩わしさがある。
　［考案の目的］
　本考案の目的は、上述の従来例の欠点を除去し、録画予約の方法を容易にしたテレビ番組録画装置を提供することにある。
　［考案の概要］
　上述の目的を達成するための本考案の要旨は、テレビ番組に関する情報を光学的に記録したカード状の情報記録担体と、該情報記録担体に記録した情報を読み取る手段と、前記情報記録担体に記録した情報から所望の情報を検索する手段と、前記検索した情報から番組の自動録画に必要な情報を得る手段と、前記自動録画に必要な情報を録画装置に送信する手段とを備えたことを特徴とするテレビ番組録画装置である。
　［考案の実施例］
　本考案を図示の実施例に基づいて詳細に説明する。
　第１図は本考案に係るテレビ番組録画装置の構成を示し、システムを制御するＣＰＵ（Ｃｅｎｔｒａｌ　Ｐｒｏｃｅｓｓｉｎｇ　Ｕｎｉｔ）１には光カードリーダー２、ＲＡＭ（Ｒａｎｄｏｍ　Ａｃｃｅｓｓ　Ｍｅｍｏｒｙ）３、タッチペン４、ビデオ録画機５、テレビアダプタ６が接続され、テレビアダプタ６にはテレビ受像機７がそれぞれ接続され、更にビデオ録画機５とテレビ受像機７が接続されている。」（明細書第２頁第１行〜第４頁第８行）
　
「上述の構成において、光カードＣには１〜数週間分のテレビ番組情報、即ち放送開始・終了日時、チャンネル番号、番組タイトル、ジャンル、解説、出演者等が記録されており、第１図において光カードＣが光カードリーダ２に挿入されると、ＣＰＵ１によって光カードＣ内の情報がＲＡＭ３に記録される。なお、ＣＰＵ１、光カードリーダ３、ＲＡＭ３は一体化しても問題はなく、また光カードリーダ２の検索速度が十分早い場合はＲＡＭ３を省略しても支障はない。
　光カードＣ内の情報の一部は、テレビアダプタ６を介してテレビ受像機７に表示される。使用者は情報選択手段としてタッチペン４を用いて、テレビ受像機７を見ながら番組を指定すると、ＣＰＵ１が指定された番組に関する情報を検索し、自動録画に必要な情報をビデオ録画機５に送り予約を完了する。この際に、情報選択手段としてタッチペン４の代りにマウス等を用いてもよい。
　第４図はＣＰＵ１に内蔵されている番組予約のフローチャート図を示し、使用者は先ずステップ４０１で光カードＣを光カードリーダ２に挿入し、ステップ４０２で番組選択モードを入力する。番組選択モードには時間モードとジャンルモードがあり、ステップ４０３ではＣＰＵ１が入力されたモードを判定し、時間モードの場合はステップ４０４に移る。ステップ４０４では使用者が日付・時間を入力し、ステップ４０５でその日付・時間に対応した番組のタイマテーブルがテレピ受像機７に表示され、ステップ４０８に進む。ステップ４０３でＣＰＵ１に入力されたモードがジャンル入力である場合には、ステップ４０６で使用者がドラマ・スポーツ・音楽・ドキュメンタリ・報道等のジャンルを１つ選択し、ステップ４０７でそのジャンルに対応した番組一覧が表示され、ステップ４０８に進む。ステップ４０８では、表示された番組の中に使用者の録画したい番組があるか否かを判定し、ない場合にはステップ４０３に戻り、ある場合にはステップ４０９で使用者が番組を選択し、ステップ４１０でその番組の詳細説明が表示される。続いて、ステップ４１１ではＣＰＵ１はその番組が未放送であるかを確認し、放送済みであればステップ４１４に進み、未放送であればステップ４１２で使用者に予約の確認を行う。予約する場合はステップ４１３で自動録画に必要な情報をビデオ録画機５に送り、予約しない場合はステップ４１４でフローを終了するかを使用者に確認し、終了する場合にはＥＮＤに進み、終了しない場合にはステップ４０８に戻る。
　このフローチャート図においては、番組の未放送の確認をステップ４１１で行うようにしているが、代りにステップ４０５或いは４０７における番組表示の際に確認して、未放送の番組のみを表示するようにしてもよい。
　本実施例においては、光カードＣにテレビ番組及びその解説の情報が記録されている場合を示したが、光カード１枚内に記録すべき情報量が多過ぎる場合には、光カードＣをテレビ番組の解説記事、関連情報が掲載されている雑誌のページ数等を記録することにより、解説に相当する情報の記録を省略することができる。」（明細書第７頁第１２行〜第１０頁第１０行）
（甲２の記載、以上）
　
　　上記記載によると、
　　「従来の番組予約の方法は、新聞・雑誌に記載されているテレビ番組表から使用者が番組を選択し、時間及びチャンネルを確認して録画装置に入力する。」（明細書第２頁第９〜１２行）
　　「従来例では録画する番組を選択する際に、通常テレビ番組表がタイムテーブルの形で記載されているため、ジャンル別の番組や解説記事を捜し難いという欠点がある。」（明細書第２頁第１７〜２０行）
　　「光カードＣには１〜数週間分のテレビ番組情報、即ち放送開始・終了日時、チャンネル番号、番組タイトル、ジャンル、解説、出演者等が記録されており、」（明細書第７頁第１２〜１５行）
　　「光カードＣ内の情報の一部は、テレビアダプタ６を介してテレビ受像機７に表示される。使用者は情報選択手段としてタッチペン４を用いて、テレビ受像機７を見ながら番組を指定する・・・マウス等を用いてもよい。」（明細書第８頁第２〜１０行）
　　「第４図はＣＰＵ１に内蔵されている番組予約のフローチャート図を示し、・・・番組選択モードを入力する。・・・時間モードの場合は・・・使用者が日付・時間を入力し、・・・その日付・時間に対応した番組のタイマテーブルがテレピ受像機７に表示され、・・・ジャンル入力である場合には、・・・ジャンルに対応した番組一覧が表示され、・・・使用者が番組を選択し、ステップ４１０でその番組の詳細説明が表示される。」（明細書第８頁第１１行〜第９頁第１２行）
　　「使用者に予約の確認を行う。予約する場合はステップ４１３で自動録画に必要な情報をビデオ録画機５に送り、予約しない場合はステップ４１４でフローを終了するかを使用者に確認し、終了する場合にはＥＮＤに進み、終了しない場合にはステップ４０８に戻る。」（明細書第９頁第１５行〜第１０頁第１行）
　　「光カード１枚内に記録すべき情報量が多過ぎる場合には、光カードＣをテレビ番組の解説記事、関連情報が掲載されている雑誌のページ数等を記録することにより、解説に相当する情報の記録を省略することができる。」（明細書第１０頁第９〜１３行）
　　ことから、
　　甲２には、次の技術が記載されている。
　
（甲２記載の技術）
　番組予約で録画する番組を選択する際、従来の通常テレビ番組表がタイムテーブルの形で記載されている新聞・雑誌に記載されているテレビ番組表では解説記事を捜し難い欠点を解決するために、表示した「番組のタイマテーブル」「番組の一覧」から使用者が選択した「番組の詳細説明」を表示すること。
　
　　ｂ．甲１への適用
　　甲１発明の「番組予約データ」は、「放送局から送られてくる番組表の受信機側における表示態様は第４図に示されるように・・・簡略化された形または放送局独自のフォーマットで表示されるものであり、・・・更に詳細な予約データ（録画予約日付、チャンネル、録画開始及び終了時刻）等の情報を表示画面から知り得る事ができず、極めて不便であった。・・・本発明はかかる欠点を解決しようとする」（第２頁左上欄第８〜２０行）ために、番組予約データの内容（第２図（Ｂ））に表示されるのであり、甲１発明は、番組表の上でカーソルによって選択されている番組について、番組表上では「知り得る事ができ（ず）」ない情報であって、その選択されている番組に関する「更に詳細な」情報を表示することで、番組表上では表示されない「更に詳細な」情報を、選択されている番組について番組予約をすべきかの判断材料として使用者に提供するものであると理解される。
　
　　上記「第４　２．（１）オ．ｂ．甲１への適用」で述べたように、甲１の番組表の表示形態を番組表の一般的な表示形態「時間およびチャンネルの番組ガイドの形式」とし甲３記載の技術のように、そのガイドの形式において、複数含まれ、該複数のそれぞれは、該少なくともいくつかの項目のうちの１つに関連付けられている「セル」をカーソルで選択するようにすることは、当業者が容易に想到することができることといえることであるところ、
　　甲１発明においては、
　選択されている番組について番組予約をすべきかの判断材料として使用者に提供するために、番組表上では「知り得る事ができ（ず）」ない「更に詳細な」情報である「番組予約データ」を番組予約データの内容（第２図（Ｂ））としており、
　　甲１発明の番組表の表示形態に一般的な表示形態「時間およびチャンネルの番組ガイドの形式」を採用した時に、番組予約の便のために、予約データの内容（第２図（Ｂ））に表示する、その番組表では「知り得る事ができ（ず）」ない「更に詳細な」情報として、甲２記載の技術にあるように、「番組の詳細説明」を採用することは当業者が容易に想到できることといえる。
　　また、一般の番組表が一覧とは別に番組の説明を表示していることからも、番組の説明を更に詳細な情報として採用して、使用者に表示しようとすることは、当業者が容易に想到できることといえる。
　
　（ウ）相違点の判断まとめ
　　以上のように、相違点１および相違点２に係る本件特許発明１の構成はいずれも当業者が容易に想到できることであり、これらを総合してもその効果は当業者が予測できるものであるから、本件特許発明１は甲第１号証記載の発明、甲第２号証記載の発明、甲第３号証記載の発明に基づいて、当業者が容易に発明することができたものである。
　
　カ．本件特許発明１についてまとめ
　　以上のように、本件特許の請求項１に係る発明は、甲第１号証記載の発明、甲第２号証記載の発明、甲第３号証記載の発明に基づいて、当業者が容易に発明することができたものであるから、特許法第２９条第２項の規定に違反して特許されたものであり、特許法第１２３条第１項第２号の規定により、本件特許の請求項１に係る発明は、無効とすべきものである。
　
（２）本件特許発明２について
　　請求項２は、請求項１を引用しており、本件特許発明２は、請求項１の記載の本件特許発明１に加えて、構成Ｆ「前記時間およびチャンネルの番組ガイドの形式で前記少なくともいくつかの項目を表示するステップは、グリッドガイド形式で該少なくともいくつかの項目を表示するステップを包含する」を有する。
　　この構成Ｆは、請求項１の「前記時間およびチャンネルの番組ガイドの形式」を「グリッドガイド形式」とした構成を包含すると特定するものであるから、本件特許発明２と甲１発明とを対比すると、構成Ｆ以外は上記本件特許発明１と甲１発明との対比と同様であるので、本件特許発明１と甲１発明との「該テレビジョン番組表に含まれる複数の項目のうちの少なくともいくつかの項目をモニタースクリーンに表示する」表示形態に関する相違である相違点１において、更に、本件特許発明２が「グリッドガイド形式」を有する点で相違するといえる。
　　この点につき判断すると、
　　一般的番組表が本件特許の図１等と同様に時間とチャンネルとで格子状に配置された形式であり、また、甲３記載の技術の「時間フィールドを表示する時間エリアとチャンネルフィールドの情報が表示されるチャンネルエリアとで囲まれた位置に番組フィールドの情報が表示される番組エリアが区画されて表示され」ることは、番組エリアについて、甲３第３図で横方向に見ると時間エリアにおける放送時間が、縦方向に見るとチャンネルエリアにおける放送チャンネルが確認できるものであって、いずれも、本件特許発明２のグリッドガイド形式に相当する表示であるといえる。
　　したがって、本件特許発明１について判断したように、甲１発明に一般的番組表を採用すれば、本件特許発明２の「グリッドガイド形式」となるのであり、本件特許発明２は甲第１号証記載の発明、甲第２号証記載の発明、甲第３号証記載の発明に基づいて、当業者が容易に発明することができたものである。
　　よって、本件特許の請求項２に係る発明は、甲第１号証記載の発明、甲第２号証記載の発明、甲第３号証記載の発明に基づいて、当業者が容易に発明することができたものであるから、特許法第２９条第２項の規定に違反して特許されたものであり、特許法第１２３条第１項第２号の規定により、本件特許の請求項２に係る発明は、無効とすべきものである。
　
（３）本件特許発明３について
　　本件特許発明３は、テレビジョン番組表に関する情報を提供する方法である本件特許発明１を電子番組ガイドシステムの発明としたものであり、技術としては本件特許発明１と同内容の発明である。そして、甲１発明も電子番組ガイドシステムの発明としても認識できるから、本件特許発明１と同様に、本件特許発明３は甲第１号証記載の発明、甲第２号証記載の発明、甲第３号証記載の発明に基づいて、当業者が容易に発明できたものであるというべきである。
　　よって、本件特許の請求項３に係る発明は、甲第１号証記載の発明、甲第２号証記載の発明、甲第３号証記載の発明に基づいて、当業者が容易に発明できたものであるから、特許法第２９条第２項の規定に違反して特許されたものであり、特許法第１２３条第１項第２号の規定により、本件特許の請求項３に係る発明は、無効とすべきものである。
　
（４）本件特許発明４について
　　本件特許発明４は、テレビジョン番組表に関する情報を提供する方法である本件特許発明２を電子番組ガイドシステムの発明としたものであり、本件特許発明２と同様に、本件特許発明４は甲第１号証記載の発明、甲第２号証記載の発明、甲第３号証記載の発明に基づいて、当業者が容易に発明できたものであるというべきである。
　　よって、本件特許の請求項４に係る発明は、甲第１号証記載の発明、甲第２号証記載の発明、甲第３号証記載の発明に基づいて、当業者が容易に発明できたものであるから、特許法第２９条第２項の規定に違反して特許されたものであり、特許法第１２３条第１項第２号の規定により、本件特許の請求項４に係る発明は、無効とすべきものである。
　
（５）無効理由１についてまとめ
　以上のように、本件特許発明１乃至本件特許発明４は、いずれも無効とすべきものであるから、無効理由１は理由があるというべきである。
　
３．無効理由３（４４条１項、２９条２項）について
　本件出願が分割要件を充足していないとの請求人の主張は、
　本件特許発明１においては構成Ｅ１「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示するステップ」を説明する、本件特許明細書段落【００２２】の「選択された一つのテレビジョン番組リスト「ゴールデンガールズ」に関する番組紹介情報「ドロシーは、誕生日に驚かすためシシリーからソフィアの妹(ナンシー・ウォーカー)をつれてくる。」を表示する」、「番組ノートオーバレイ５２は、一つのリストセル２６の面積よりも広い。」が、親出願（特願平３−５１６６９１号）の出願当初の明細書の発明の詳細な説明、子出願（特願２０００−３２１３９１号）の出願当初の明細書の発明の詳細な説明に記載されていないから、
本件特許発明１の構成Ｅ１は、親出願の出願当初の明細書の発明の詳細な説明、子出願の出願当初の明細書の発明の詳細な説明に記載されておらず、本件出願が分割要件を充足していないとするものである。
　確かに、親出願の出願当初の明細書の発明の詳細な説明、子出願の出願当初の明細書の発明の詳細な説明には、「選択された一つのテレビジョン番組リスト「ゴールデンガールズ」に関する番組紹介情報「ドロシーは、誕生日に驚かすためシシリーからソフィアの妹(ナンシー・ウォーカー)をつれてくる。」を表示する」、「番組ノートオーバレイ５２は、一つのリストセル２６の面積よりも広い。」という文言自体はなく、文章による同様の内容の説明もされていない。
　しかしながら、親出願（特願平３−５１６６９１号）の出願当初の明細書の発明の詳細な説明で図６を説明する個所（甲第５号証、特表平６−５０４１６５号公報、親出願の国内公表公報の第８頁左上欄第１３行〜右上欄第８行参照）、子出願（特願２０００−３２１３９１号）の出願当初の明細書の発明の詳細な説明で図６を説明する段落【００２２】〜【００２４】では、図６について、
「図６は、番組ノートオーバレイ５２を有すテレビジョンスケジュールグリッドスクリーン２０を示す。ＴＶ表示部のテキストスペースの制限により、可能な限りＴＶリストの多数の行を表示するのが好ましい。テキストで一杯の番組ノートを処理するため、即時応答オーバレイ５２が使用される。番組ノートオーバレイ５２は、次の情報のいずれかまたは全てを含む。
○ 番組ジャンル
○ 番組紹介
○ スター及び著名人
○ 封切りの年
○ エピソード風のサブタイトル
○ 番組の所要時間
○ 番組の経過時間
○ 批評（スターの評価）
○ 範疇（ＰＧ、Ｇその他）
○ コールサイン、チャンネルマーカー
○ 字幕、ステレオ
　選択した番組の番組ノートは、要求に応じてグリッドガイド上に重ねて表示される。番組ノートは、選択コマンドを利用してスイッチオン・オフすることが可能である。番組ノート５２は、ガイドの３または４のリストに重ねられるか隠してしまう。ガイドの隠蔽を最小にするために、自動移動ノートが使用される。番組ノートは、スクリーンの上半分か下半分に重ねられ、必要に応じて、選択されたリストのタイトルをマスクを回避できるようになっている。カーソル３２がスクリーンの上半分に位置するとき、ノートは、下半分に位置し、逆場合は、この反対となる。カーソル３２が、スクリーンの下半分に移動すると、ノートは、自動的にスクリーンの上半分に位置するようになる。」
と説明され、
　そのように説明される図６には、
・「番組ノートオーバレイ５２を有すテレビジョンスケジュールグリッドスクリーン２０」が図示されている。
・図６に図示されたテレビジョンスケジュールグリッドスクリーン２０は、
　「カーソル３２」が「ゴールデンガールズ」と記載されるセル２６に位置している。
　「ドロシーは、誕生日に驚かすためシシリーからソフィアの妹(ナンシー・ウォーカー)をつれてくる。」との文言が記載された番組ノートオーバレイ５２が、「ＤＩＳ」「ＬＩＦ」「ＴＮＴ」の行の「１１：００　ＡＭ」から「１２：００　ＰＭ」の列の位置に表示されている。
　
　図６の説明において、「番組ノートオーバレイ５２は、次の情報のいずれかまたは全てを含む。」とされる情報のなかに「番組紹介」があり、「ドロシーは、誕生日に驚かすためシシリーからソフィアの妹(ナンシー・ウォーカー)をつれてくる。」という文言が「番組紹介」であることは自然に理解できることであり、「番組紹介」であるからいずれか１つの番組に対応したものであることも自然と想定できるものであるところ、この「番組ノートオーバレイ５２」は「カーソル３２がスクリーンの上半分に位置するとき、ノートは、下半分に位置し、逆場合は、この反対となる。カーソル３２が、スクリーンの下半分に移動すると、ノートは、自動的にスクリーンの上半分に位置するようになる。」として「カーソル」の位置に対応したものであることも説明されていることから、「ドロシーは、誕生日に驚かすためシシリーからソフィアの妹(ナンシー・ウォーカー)をつれてくる。」との文言が記載された「番組ノートオーバレイ５２」は、カーソル３２が位置する「ゴールデンガールズ」と記載されるセル２６に対応するものであり、「ゴールデンガールズ」という番組の「番組紹介」であることが自然と理解されるものである。そうすると、「選択された一つのテレビジョン番組リスト「ゴールデンガールズ」に関する番組紹介情報「ドロシーは、誕生日に驚かすためシシリーからソフィアの妹(ナンシー・ウォーカー)をつれてくる。」を表示する」ことは、親出願および子出願の当初明細書の発明の詳細な説明および図面に記載されていたということができる。
　また、図６では、番組ノートオーバレイ５２が、「ＤＩＳ」「ＬＩＦ」「ＴＮＴ」の行の「１１：００　ＡＭ」から「１２：００　ＰＭ」の列の位置に表示されており、対応するカーソルの位置するセル２６の９倍程のサイズで図示されていること、図６の説明において、「番組ノート５２は、ガイドの３または４のリストに重ねられるか隠してしまう。」と説明されることから、「番組ノートオーバレイ５２は、一つのリストセル２６の面積よりも広い。」ことも、親出願および子出願の当初明細書の発明の詳細な説明および図面に記載されていたということができる。
　したがって、本件特許明細書での本件特許発明１の構成Ｅ１の説明は、親出願および子出願の当初明細書の発明の詳細な説明および図面に記載されていたということができ、本件特許発明１の構成Ｅ１も親出願および子出願の当初明細書の発明の詳細な説明および図面に記載されていたということができる。
　本件特許発明２乃至４についても本件特許発明１と同様に判断される。
　よって、本件出願が分割要件を充足していないとの請求人の主張は当を得ないものである。
　以上のようであるから、本件出願が分割要件を充足していないことを前提とした無効理由３はその根拠がなく、理由がないとすべきである。
　
４．判断まとめ
　以上のようであるから、請求人の主張する無効理由１は理由があるとすべきであり、請求項１乃至請求項４に係る特許は無効とすべきものである。
　
第５．むすび
　以上とおり、請求項１乃至請求項４に係る特許は無効とすべきものである。
　
　審判に関する費用については、特許法第１６９条第２項の規定で準用する民事訴訟法第６１条の規定により、被請求人が負担すべきものとする。
　
　よって、結論のとおり審決する。